(57)【要約】本発明は車両シート用送気装置に関し、該装置は送風機（１８）の加圧端部に配置され、シート着座者の頭部、肩部、頚部領域に空気流を供給するためにシートの上部領域に少なくとも１つの空気吹出し口（２４）を有する空気流路（２０）を含む。暖房要素（２２）が、送風機（１８）と空気吹出し口（２４）との間の空気流路（２０）内に取り付けられている。パラメータ値を検出するための少なくとも１つのセンサが送気装置に関連づけられ、空気吹出し口から出る空気流が、前記値に応じて制御される。より万能な方法で空気流を制御する送気装置を作製するために、センサは空気吹出し口（２４）と暖房要素（２２）との間の空気流路（２０）内部に配置される。
2006523479.tif 000002
【特許請求の範囲】
【請求項１】
送風機（１８）の送風側に配置され、シート着座者の頭部、肩部及び頚部領域に空気流を供給するためにシートの上部領域に設置されている少なくとも１つの空気吹出し口（２４）を有する空気ダクト（２０）を備える車両シート用送気装置であって、暖房要素（２２）が前記送風機（１８）と前記空気吹出し口（２４）との間の前記空気ダクト（２０）内に配置され、前記送気装置には、パラメータ値を検知する少なくとも１つのセンサ（４４）が割り当てられ、該パラメータ値の関数として前記空気吹出し口（２４）から出る前記空気流が制御される送気装置において、
前記センサ（４４）が、前記空気吹出し口（２４）と前記暖房要素（２２）との間の前記空気ダクト（２０）内部に配置されていることを特徴とする送気装置。
【請求項２】
前記センサ（４４）が温度センサとして設計されていることを特徴とする請求項１に記載の送気装置。
【請求項３】
前記暖房要素（２２）及び／又は前記送風機（１８）が前記センサ（４４）のパラメータ値の関数として制御されることを特徴とする請求項１に記載の送気装置。
【請求項４】
前記センサ（４４）が前記空気ダクト（２０）内部に位置付けられる格子要素（３２）に近接して配置されることを特徴とする請求項１に記載の送気装置。
【請求項５】
前記格子要素（３２）が前記空気ダクト（２０）の前記空気吹出し口（２４）に近接して配置されることを特徴とする請求項４に記載の送気装置。
【請求項６】
前記センサ（４４）が前記格子要素（３２）と一体化されることを特徴とする請求項４に記載の送気装置。
【請求項７】
前記センサ（４４）は、前記空気吹出し口（２４）に割り当てられ、前記空気ダクト（２０）のその端部で位置決めスロット（５２）に挿入され得るソケット部（５０）によって支持されることを特徴とする請求項１に記載の送気装置。
【発明の詳細な説明】
【技術分野】
【０００１】
本発明は、特許請求項１の前段に示されたタイプの車両シート用送気装置に関する。
【背景技術】
【０００２】
このタイプの送気装置は、すでに特許文献１から知られている。その装置では、空気ダクトが送風機の送風側に配置され、シート着座者の頭部、肩部、及び頚部領域に空気流を供給するためにシートの上部領域に設置された少なくとも１つの空気吹出し口を有している。送風機と空気吹出し口との間の空気ダクト内部に暖房要素を配置することによって、空気流はここで暖められる。空気吹出し口から出る空気流は、外部のパラメータ値、例えば運転速度又は外気温度を検出するセンサによって、ここで制御されうる。
【０００３】
【特許文献１】独国特許出願公開第１００  ５４  ００９  Ａ１号明細書
【発明の開示】
【発明が解決しようとする課題】
【０００４】
本発明の目的は、その空気流が、より普遍的な方法で制御されうる、先に記載したタイプの送気装置を提供することである。
【課題を解決するための手段】
【０００５】
この目的は特許請求項１の特徴を有する送気装置を使用することによって、本発明により達成される。本発明の目的にかなった発展形態が、有利な実施形態と共に従属請求項に示される。
【０００６】
本発明による送気装置において、例えば温度及び／又は空気の流量を検知するために使用可能な、少なくとも１つのセンサが、空気吹出し口と暖房要素との間の空気ダクト内部に配置される。例えば、周囲温度が高すぎるために、空気吹出し口からシート着座者の方向に出る空気流の温度が高すぎる場合、暖房要素及び／又は送風機は、低い設定に変更される、又はスイッチを切られる。温度が所定の温度未満に低下した場合、送風機及び暖房要素に再びスイッチが入れられ、空気量又は温度が再び増加／上昇されうる。さらに、センサによって供給された値によって、例えば、空気吹出し口が部分的又は全体的に許容できない状態に塞がれているかどうか、そしてその結果として、温度が許容上限を超えているかどうかを認識することが可能である。この場合も同様に、暖房要素及び／又は送風機は、低い設定に変更される、又はスイッチを切られる。
【０００７】
本発明のさらなる利点、特徴及び詳細が、以下の２つの好ましい例示的実施形態の説明及び図面を参照することにより明らかとなる。
【発明を実施するための最良の形態】
【０００８】
図１ａ及び１ｂは、概略的前面斜視図ならびに概略的側面斜視図で車両のシートの背もたれ１０を例示している。図１ａの背もたれ１０で見えるものは、後部カバー片１２及びヘッドレスト１４だけである。この図の車両シートは一体型シートとして設計され、ヘッドレスト１４が重なり合い、背もたれ１０の前面に配置されている。ヘッドレスト１４は案内手段（図示せず）によって背もたれ１０に対して高さ調節可能である。送気装置１６は背もたれ１０の後部カバー片１２に固定されていて、この装置の主要な構成要素は送気装置の下端部に概略的に例示されている送風機１８と、送風機１８上部に配置された空気ダクト２０である。送風機１８の送風側の、送風機１８上部の離れたところの空気ダクト２０内部に暖房要素２２が設置され、該暖房要素を使用して送風機１８によって生成される空気流を暖めることができる。この暖房要素２２は図１ａで破線によってのみ例示されている。垂直に延在する空気ダクト２０はその上端部でＬ型に前方に曲折させられ、空気吹出し口２４で終端する。この図の空気ダクト２０は、空気吹出し口２４の領域で、ヘッドレスト１４の前側２６の平面で終端する。格子要素３２が空気吹出し口２４に近接して空気ダクト２０内部に例示され、図３ａ、３ｂ、４ａ及び４ｂを参照することによって以下でより詳細に説明される。図１ｂはさらに、背もたれ１０のサイドサポート２８及び、破線によって示される、背もたれ１０の中央パネル領域にある椅子張りカバー３０の側面も示す。この図から、送気装置１６が背もたれ１０内部に完全に配置され、外側から見ることができるのは空気吹出し口２４だけであることも確認できる。空気ダクト２０内部のセンサ（以下で説明される）は、図１ａ及び１ｂでは示されていない。
【０００９】
図２は図１ａ及び１ｂによる送気装置１６を背面図で示す。示された例示的実施形態において、送気装置１６の下端部に見ることができる送風機１８は、送風機１８の前側に配置された見ることができない吸気開口部を有している。送風機１８によって空気がそこから吸引されうる自由空間が、背もたれ１０のパネル表面領域の（図１ｂで示される）椅子張りと、送風機１８の吸気開口部との間に存在しなければならないことは明らかである。空気ダクト２０の隆起状拡張部３４を、送風機１８上部の送風側に見ることができ、破線で示されているように、暖房要素２２が該拡張部内部に収容されている。送気装置１６の上端部に、空気吹出し口２４を有するＬ型部材３６が、空気ダクト２０内部で伸縮自在に、上方へ移動することができる要素として設計されている。この構成によって、Ｌ型部材３６をヘッドレスト１４と一緒に高さ調節することができる。ここで示されている例示された実施形態において、空気ダクト２０とＬ型部材３６の両方はプラスチック製である。加えて、送風機１８のハウジング３８が空気ダクト２０と一体に接続される。空気ダクト２０とＬ型部材３６は、実質的にその全長にわたって、おおむね矩形の断面を有している。
【００１０】
図３ａ及び３ｂは、空気ダクト２０の上部部分と共に、その中を摺動可能に案内されるＬ型部材３６を斜視図と前面図とで示す。Ｌ型部材３６の上部部分３８がほぼ水平に延在していることが、特に図３ａから確認できる。格子要素３２が、ほぼ水平であるダクト部分３８の内側に空気吹出し口２４に近接して配置され、空気ダクト２０又は上部ダクト部分３８を通って流れる空気流の流れ方向に対して横断するように配置される。例示的実施形態において、格子要素は係止タング４０によってＬ型部材３６の穴４２に固定されうる。送風機１８によって生成され、暖房要素２０を通って流れる時に乱流になりやすい空気流は、空気ダクト２０又はダクト部分３８の内側に配置される格子要素３２によってより均一になる。さらに、格子要素３２は通って流れる空気流をわずかに蓄積する効果がある。結果として、空気流は格子要素３２が無い場合よりもいくらか遅い速度でシート着座者に達し、その状況は前記着座者が経験する快適さの観点において特に有利であることが分かっている。さらに、格子要素３２における空気の蓄積によって、空気流が空気ダクト２０中にいくらか長く、そして暖房要素２２に対して密に留まることが確実になる。それによって、暖房要素２２はより多くの熱を空気流に移すことが可能になる。それによって、空気吹出し口２４の領域におけるより高い空気出口温度がもたらされる。
【００１１】
さらにパラメータ値を検知するセンサ４４が送気装置１６の空気ダクト２０のＬ型部材３６の内側に設置され、空気吹出し口２４と暖房要素２２との間に配置される。図３ａ及び３ｂによる例示的実施形態において、センサ４４は温度センサとして設計され、Ｌ型部材３６の下面の穿孔４６に取り付けられ、格子要素３２の後側に近接して配置される。この構成において、センサ４４は線４８を介して送気装置１６の制御装置（図示せず）に接続されている。線４８はヘッドレスト１４及びＬ型部材３６の高さ調節が可能であるような長さに寸法決めされる。空気吹出し口２４から出る空気流は、センサ４４のパラメータ値の関数として制御される。例えば、周囲温度が高すぎる結果、空気吹出し口２４から出る空気流の温度が高すぎる場合、暖房要素２２及び／又は送風機１８は、制御装置によって、低い設定に変更される、又はスイッチを切られる。この構成において、最初に暖房要素２２を、低い設定に切り替えるか、又はそのスイッチを切り、その後初めて送風機１８を、低い設定に切り替えるか、又はそのスイッチを切るということが可能である。温度が所定温度未満に低下した場合、送風機１８及び暖房要素２２に再びスイッチが入り、空気量又は温度が再び増加／上昇する。さらにセンサ４４により供給される値によって、例えば空気吹出し口２４が部分的にあるいは全体的に許容できない状態に塞がれていて、結果、空気流の温度が許容最大値を超えているかどうかを認識することができる。この場合も同様に、暖房要素２２及び／又は送風機１８は、低い設定に変更される、又はスイッチを切られる。
【００１２】
図４ａ及び４ｂは送気装置１６の別の実施形態を概略的な前面図で示す。この例において、センサ４４は格子要素３２と一体化されていて、空気吹出し口２４に割り当てられ、空気ダクト２０の端部で、前方から位置決めスロット５２へ挿入することができるソケット部５０によって支持されている。格子要素３２はセンサ４４の近くで対応してくぼんでいることが明白に確認される。
【図面の簡単な説明】
【００１３】
【図１ａ】本発明による一体化された送気装置を有する車両シートの背もたれの概略的前面斜視図。
【図１ｂ】本発明による一体化された送気装置を有する車両シートの背もたれの概略的側面斜視図。
【図２】図１ａ、ｂによる送気装置の背面図であって、その送風機が下部領域に見られ、空気吹出し口が上部端に配置された給気ダクトが送風機の上部に見られる背面図。
【図３ａ】空気吹出し口を有する、図２による空気ダクトの上部端の前面図であって、本発明によるセンサが空気吹出し口に近接して配置されている。
【図３ｂ】空気吹出し口を有する、図２による空気ダクトの上部端の斜視図であって、本発明によるセンサが空気吹出し口に近接して配置されている。
【図４ａ】本発明の別の実施形態に従う、図２による空気ダクトの上部端の前面図であって、本発明によるセンサが格子要素と一体化されている。
【図４ｂ】本発明の別の実施形態に従う、図２による空気ダクトの上部端の斜視図であって、本発明によるセンサが格子要素と一体化されている。
2006523479.tif 000003
【図２】
2006523479.tif 000004
2006523479.tif 000005
2006523479.tif 000006
【国際調査報告】
2006523479.tif 000007
2006523479.tif 000008
2006523479.tif 000009
2006523479.tif 000010